(57)【要約】【課題】タービン内における液滴の挙動を評価できるタービン内液滴挙動評価装置を提供すること。【解決手段】本発明の一態様に係るタービン内液滴挙動評価装置は、蒸気の通路上に設けられた動翼および動翼へ蒸気を案内する静翼を備えたタービンの３次元形状および通路の温度と圧力に基づき、通路において蒸気凝縮により生成される液滴の分布を算出する湿り度算出部と、湿り度算出部で算出された液滴の分布に基づき、静翼の翼面上における液滴数および液滴径の分布を算出する静翼面挙動算出部と、静翼面挙動算出部で算出された静翼の翼面上における液滴数および液滴径の分布に基づき、静翼から動翼へ流出する液滴数および液滴径の分布を算出する液滴径算出部と、液滴径算出部で算出された液滴数および液滴径の分布に基づき、動翼の翼面上における液滴数および液滴径の分布を算出する動翼面挙動算出部と、を具備する。【選択図】図３
2010270716.tif 000002
【特許請求の範囲】
【請求項１】
蒸気の通路上に設けられた動翼および前記動翼へ前記蒸気を案内する静翼を備えたタービンの３次元形状および前記通路の温度と圧力に基づき、前記通路において蒸気凝縮により生成される液滴の分布を算出する湿り度算出部と、
前記湿り度算出部で算出された液滴の分布に基づき、前記静翼の翼面上における液滴数および液滴径の分布を算出する静翼面挙動算出部と、
前記静翼面挙動算出部で算出された前記静翼の翼面上における液滴数および液滴径の分布に基づき、前記静翼から前記動翼へ流出する液滴数および液滴径の分布を算出する液滴径算出部と、
前記液滴径算出部で算出された液滴数および液滴径の分布に基づき、前記動翼の翼面上における液滴数および液滴径の分布を算出する動翼面挙動算出部と、
を具備することを特徴とするタービン内液滴挙動評価装置。
【請求項２】
前記静翼後段の温度および圧力毎に前記液滴の径および個数の分布を対応づけて記憶したデータベースをさらに具備し、
前記液滴径算出部は、前記静翼後段での温度および圧力に対応する前記液滴の径および個数の分布を前記データベースに記憶されている前記複数の液滴の径および個数の分布から読み出すことを特徴とする請求項１に記載のタービン内液滴挙動評価装置。
【請求項３】
前記湿り度算出部で算出された液滴数および液滴径の分布に基づいて、前記液滴径算出部で算出された液滴数および液滴径の分布を補正する湿り度補正部をさらに具備することを特徴とする請求項１または請求項２に記載のタービン内液滴挙動評価装置。
【請求項４】
前記湿り度補正部は、
前記湿り度算出部で算出された液滴数および液滴径の分布から求められる液滴量と、前記液滴径算出部で算出された液滴数および液滴径の分布から求められる液滴量との比に基づいて前記液滴径算出部で算出された液滴数および液滴径の分布を補正することを特徴とする請求項３に記載のタービン内液滴挙動評価装置。
【請求項５】
前記湿り度算出部は、
所定の液滴径を有する液滴について、前記湿り度算出部で算出された液滴数および液滴径の分布から求められる液滴量と、前記液滴径算出部で算出された液滴数および液滴径の分布から求められる液滴量との比に基づいて前記液滴径算出部で算出された液滴数および液滴径の分布を補正することを特徴とする請求項４に記載のタービン内液滴挙動評価装置。
【発明の詳細な説明】
【技術分野】
【０００１】
本発明は、発電プラントの蒸気タービン内で発生する液滴の挙動を評価するタービン内液滴挙動評価装置に関する。
【背景技術】
【０００２】
発電プラントの蒸気タービンシステムでは、生成された蒸気が高圧タービンから低圧タービンを通過しながら熱エネルギを回転エネルギに変換している。この蒸気は、低圧タービンの後段に設けられた復水器で水に戻った後に再び給水ラインに送られる。
【０００３】
高圧タービンと低圧タービンの間には、湿分分離加熱器などが設けられており、蒸気の湿分を除去するとともに過熱蒸気とすることで液滴が凝縮することを抑制している。しかし、低圧タービン内では、蒸気の圧力が低くなることから、蒸気が凝縮して液滴が発生しやすい。低圧タービンで発生した液滴は、回転する動翼のブレーキ損失となり段落効率が低下したり、動翼に高速で衝突するため動翼を侵食する。このため、タービン内における液滴の生成および生成された液滴の翼面上の挙動までを含んだ評価が必要となっている。
【０００４】
ここで、発電プラントの熱輸送系の設計評価のために、液面下に気相を含む容器に対して、液面ノードの判定と液面ノードの気液界面積計算と水位計算から構成された二相液面評価装置において、二相流解析コードを用いて液面位置を求める際に複数の計算ノードを参照する方法が提案されている（特許文献１）。
【先行技術文献】
【特許文献】
【０００５】
【特許文献１】特開２０００−１１２５１６号公報
【発明の概要】
【発明が解決しようとする課題】
【０００６】
しかしながら、上記二相流解析では、タービン内における液滴の生成および生成された液滴の翼面上の挙動までを含んだ評価ができない。
【０００７】
本発明は、かかる従来の問題を解消すべくなされたもので、タービン内における液滴の挙動を評価できるタービン内液滴挙動評価装置を提供することを目的とする。
【課題を解決するための手段】
【０００８】
本発明の一態様に係るタービン内液滴挙動評価装置は、蒸気の通路上に設けられた動翼および動翼へ蒸気を案内する静翼を備えたタービンの３次元形状および通路の温度と圧力に基づき、通路において蒸気凝縮により生成される液滴の分布を算出する湿り度算出部と、湿り度算出部で算出された液滴の分布に基づき、静翼の翼面上における液滴数および液滴径の分布を算出する静翼面挙動算出部と、静翼面挙動算出部で算出された静翼の翼面上における液滴数および液滴径の分布に基づき、静翼から動翼へ流出する液滴数および液滴径の分布を算出する液滴径算出部と、液滴径算出部で算出された液滴数および液滴径の分布に基づき、動翼の翼面上における液滴数および液滴径の分布を算出する動翼面挙動算出部と、を具備する。
【発明の効果】
【０００９】
本発明によれば、タービン内における液滴の挙動を評価できるタービン内液滴挙動評価装置を提供できる。
【図面の簡単な説明】
【００１０】
【図１】低圧タービンの部分断面図である。
【図２】第１の実施形態に係るタービン内液滴挙動評価装置のハードウェア構成を示した図である。
【図３】第１の実施形態に係るタービン内液滴挙動評価装置の機能構成を示した図である。
【図４】第２の実施形態に係るタービン内液滴挙動評価装置の機能構成を示した図である。
【図５】データベースに記憶されている液滴分布の一例を示した図である。
【図６】第３の実施形態に係るタービン内液滴挙動評価装置の機能構成を示した図である。
【図７】第１の補正方法を説明するための図である。
【図８】第２の補正方法を説明するための図である。
【発明を実施するための形態】
【００１１】
以下、図面を参照して、本発明の実施形態を詳細に説明する。
（第１の実施形態）
図１は、低圧タービン１０の部分断面図である。初めに、図１を参照して低圧タービン１０の概略構成および蒸気の流れについて説明する。低圧タービン１０は、ロータ１１と、ロータ１１に取り付けられた動翼１２と、動翼１２へ蒸気を案内する静翼１３と、静翼１３が取り付けられたケーシング１４（車室）とを備える。図１に示す鎖線Ａ−Ａ´は、ロータ１１の回転軸である。
【００１２】
ロータ１１とケーシング１４との空間は、蒸気の通路１５となっている。低圧タービン１０の前段に設けられた湿分分離加熱器からの蒸気は、低圧タービン１０の導入口（図示せず）から通路１５へ導入される。蒸気は、動翼１２と静翼１３の翼列からなる段落１６が複数段配置された通路１５を通り排出口（図示せず）から排気される。
【００１３】
この排気口は、排気室を介して真空度の高い復水器につながっている。通路部１６を流れる蒸気は、低圧タービン１０の導入口から排気口に進むに従い膨張する。このため、ロータ１１の軸方向に対して垂直な面内における通路１５の面積も、導入口から排気口に進むに従い徐々に拡大する。
【００１４】
上述したように、低圧タービン１０に流入する蒸気は、湿分分離加熱器によって過熱蒸気となっているが、排出口に進むに従い圧力が低下する。このため、蒸気が凝縮して微小な液滴１７が、通路１５において部分的（空間的）に生成される。この微小液滴１７は、蒸気の流れとともに通路１５の動翼１２および静翼１３からなる翼列間を流動する。この流動に伴い、液滴１７は、徐々に成長し、粗大液滴１８となる。粗大液滴１８は、静翼１３あるいは動翼１２の翼面に付着し、翼面上を流動する。翼面上に付着した粗大液滴１８は、液膜状となるが、翼後縁で翼面から剥離し、再び粗大液滴１８として通路１５を流動する。
【００１５】
粗大液滴１８は、回転する動翼１２のブレーキ損失となり段落効率が低下したり、動翼１２に高速で衝突するため動翼１２を侵食する。このため、低圧タービン１０の設計は、低圧タービン１０内における液滴の生成および生成された液滴の翼面上の挙動までを含んだ評価を行う必要がある。
【００１６】
この第１の実施形態に係るタービン内液滴挙動評価装置１は、有限体積法や有限差分法などの解析方法を用いて低圧タービン１０内の蒸気および液滴の挙動を解析する。有限体積法では、解析対象である低圧タービン１０を複数のメッシュ（要素）に細分割し、この細分割したメッシュごとに質量保存則、運動量保存則およびエネルギ保存則を満たすように過渡解析を行う。なお、この第１の実施形態では、通路１５内で生成した液滴は、正規分布すると仮定して液滴の挙動を評価している（詳細については後述する）。
【００１７】
有限体積法では、有限要素法と同様に離散化に重み付き残差法を適用する。有限体積法では、メッシュ毎に、重み関数を１として重み付き残差式を離散化する。また、有限差分法では、質量保存則、運動量保存則およびエネルギ保存則を与える微分方程式の微分を差分商で近似することにより、該微分方程式を解く。この第１の実施形態では、有限体積法または有限差分法のどちらを用いて方程式を解いてもよい。
【００１８】
質量保存則および運動量保存則の方程式は、それぞれ下記（１）式および（２）式により与えられる。
【数１】
2010270716.tif 000003
【数２】
2010270716.tif 000004
【００１９】
上記（１）式、（２）式において、ｔは、時間である。ｘｉは、デカルト座標である（ｉ＝１、２、３、）。ｕｉは、ｘｉ軸方向における絶対流速である。ｐは、ピエゾ圧力である。ρは、密度である。τｉｊは、応力テンソルである。Ｓｍは、質量源である。ｓｉは、運動量源である。
【００２０】
ｐは、以下の（３）式で定義される。
【数３】
2010270716.tif 000005
ｐｓは、静的圧力である。ρ０は、参照密度である。ｇｍは、重力加速度である。ｘｍは、座標である。
【００２１】
エネルギ保存則の方程式は、下記（４）式により与えられる。
【数４】
2010270716.tif 000006
【００２２】
ｈｔは、熱エンタルピーであり、下記（５）式により定義される。
【数５】
2010270716.tif 000007
Ｆｈｔ，ｊは、ｘｊ方向の離散熱エネルギ束である。Ｓｃ，ｍは、化学反応に起因して生成率または消滅率である。
【００２３】
なお、この第１の実施形態では、蒸気および液滴の２流体モデルを解くことになる。この場合、蒸気および液滴間においても、質量保存則、運動量保存則およびエネルギ保存則が保たれることを考慮して上記方程式を解けばよい。また、液滴の挙動を解析するモデルは、種々存在するが（例えば、Eulerian-Lagrangian model等）、この第１の実施形態で使用されるモデルは特に限定されない。
【００２４】
図２は、第１の実施形態に係るタービン内液滴挙動評価装置のハードウェア構成を示した図である。タービン内液滴挙動評価装置１は、コンピュータ本体２０と、コンピュータ本体２０に接続されたディスプレイ２５、キーボード２６などで構成される。
【００２５】
コンピュータ本体２０は、ＣＰＵ（Central Processing Unit）２１、ＲＯＭ（Read Only Memory）２２、ＲＡＭ（Random Access Memory）２３およびＨＤＤ（Hard Disk Drive）２４などを具備する。ＲＯＭ２２は、ＣＰＵ２１の動作コードを格納する。ＲＡＭ２３は、ＣＰＵ２１の作業領域として使用される。ＨＤＤ２４には、タービン内における液滴の挙動評価に必要なデータや、低圧タービン１０内での液滴の生成および挙動を評価するためのプログラムが記憶されている。ＣＰＵ２１は、ＨＤＤ２４に記録されているプログラムをＲＡＭ２３にロードして実行する。ディスプレイ２５は、コンピュータ本体２０で行った液滴の挙動評価の結果を表示する。キーボード２６は、データや評価条件等を入力するための入力デバイスである。
【００２６】
図３は、第１の実施形態に係るタービン内液滴挙動評価装置１の機能構成を示した図である。図３に示すように、タービン内液滴挙動評価装置１は、湿り度算出部１０１、静翼面挙動算出部１０２、動翼面挙動算出部１０３、液滴径算出部１０４を具備する。なお、図３に示した機能は、ＣＰＵ２１が、ＨＤＤ２４に記録されているプログラムをＲＡＭ２３にロードして実行することにより実現される。以下、図３を参照して各機能構成について説明する。
【００２７】
（湿り度算出部１０１）
湿り度算出部１０１は、温度、圧力および低圧タービン１０内の３次元形状データからなるデータファイル２０１に基づいて、低圧タービン１０の通路１５における流体（この実施形態では蒸気）の物性値、流速、圧力、温度（以下、物理量）の分布を算出する。湿り度算出部１０１は、上述した有限体積法や有限差分法などの解析方法を用い、低圧タービン１０の通路１５を複数のメッシュに細分割し、この細分割したメッシュごとに運動量保存則、質量保存則、およびエネルギ保存則を満たすように過渡解析を行う。湿り度算出部１０１は、メッシュごとに算出した物理量から低圧タービン１０の通路１５での蒸気の物性値、流速、圧力、温度の分布を得る。
【００２８】
また、湿り度算出部１０１は、算出した温度分布、圧力分布および過冷却を考慮して、蒸気が凝縮する量、すなわち低圧タービン１０の通路１５で発生する液滴量を算出する。次に、湿り度算出部１０１は、メッシュ毎に算出した液滴量および蒸気量に基づき、通路１５における３次元的な湿り度分布を算出する。湿り度算出部１０１は、算出した流速分布および湿り度分布（以下、データファイル２０２）を出力する。なお、データファイル２０１は、ユーザが、キーボード２６を操作して入力してもよい。また、湿り度算出部１０１がＨＤＤ２４へ予め登録されたデータファイル２０１を取得するようにしてもよい。
【００２９】
（静翼面挙動算出部１０２）
静翼面挙動算出部１０２は、湿り度算出部１０１から出力されたデータファイル２０２を入力条件として、蒸気および水滴のそれぞれについて、上記メッシュごとに運動量保存則、質量保存則、およびエネルギ保存則を満たすように過渡解析を行い、静翼１３の翼面上における流速分布および湿り度分布（以下、データファイル２０３）を算出する。静翼面挙動算出部１０２は、蒸気および水滴のそれぞれについて、上記過渡解析を行うことで、水滴の流速と蒸気の流速とを個別に算出する。静翼面挙動算出部１０２は、算出したデータファイル２０３を出力する。流速分布および湿り度分布は、湿り度算出部１０１と同様に有限体積法や有限差分法などの解析方法を用いて算出される。
【００３０】
（液滴径算出部１０４）
液滴径算出部１０４は、物理量（温度、圧力、流速、湿り度）に対する液滴径および個数の分布を正規分布として記憶している記憶部を有する。液滴径算出部１０４は、静翼面挙動算出部１０２から出力されたデータファイル２０３および静翼１３の後段（蒸気の出口）での温度および圧力（以下、データファイル２０４）が入力されると、入力条件（温度、圧力、流速分布および湿り度分布）に対応する液滴径および個数の正規分布を生成する。
【００３１】
具体的には、静翼面挙動算出部１０３から出力された湿り度の分布から求められる液滴量に一致するように、上記記憶部に記憶されている正規分布を調整（正規化）した正規分布を生成する。液滴径算出部１０４は、上述の方法により、局所的（低圧タービン１０内の一部分）に算出した液滴径の分布（以下、データファイル２０５）を出力する。なお、データファイル２０４は、ユーザが、キーボード２６を操作して入力してもよい。また、液滴径算出部１０４がＨＤＤ２４へ予め登録されたデータファイル２０４を取得するようにしてもよい。
【００３２】
（動翼面挙動算出部１０３）
動翼面挙動算出部１０３は、静翼面挙動算出部１０２から出力されたデータファイル２０３および液滴径算出部１０４から出力されたデータファイル２０５に基づいて、動翼１２の翼面上における流速分布及び湿り度分布（以下、データファイル２０６）を算出する。動翼面挙動算出部１０３は、蒸気を連続相、水滴を離散相として、運動量保存則、質量保存則、およびエネルギ保存則を満たすように算出する。
【００３３】
動翼面挙動算出部１０３で算出されたデータファイル２０６は、メッシュごとの物理量（熱流体物性値、流速、圧力、温度など）の空間分布が把握できるように可視化してディスプレイ２５に表示される。
【００３４】
以上のように、この第１の実施形態に係るタービン内液滴挙動評価装置１では、湿り度算出部１０１で凝縮によって生成された水滴の流速は蒸気と同一であるが、静翼面挙動算出部１０２や動翼面挙動算出部１０３では水滴の流速が蒸気の流速とは別に算出されるので、低圧タービン１０内の通路１５、動翼１２および静翼１３における翼の壁面での液滴の挙動を予測できる。すなわち、圧力や温度の空間的な状態量だけでなく３次元的な通路部や翼の形状を考慮した水滴挙動を評価することができるため、タービンの湿り損失低減や翼への水滴衝突緩和を考慮した形状設計が可能となる。
【００３５】
（第２の実施形態）
図４は、第２の実施形態に係るタービン内液滴挙動評価装置２の機能構成を示した図である。図４に示すように、タービン内液滴挙動評価装置２は、湿り度算出部１０１、静翼面挙動算出部１０２、動翼面挙動算出部１０３、液滴径算出部１０４Ａ、データベース１０５を具備する。以下、タービン内液滴挙動評価装置２の構成について説明するが、図３で説明した構成要素については、同一の符号を付して重複した説明を省略する。
【００３６】
データベース１０５には、物理量（温度、圧力、流速、湿り度）に対する液滴径および個数の分布が記憶されている。図５は、データベース１０５に記憶されている液滴径および液滴数の分布（以下、分布）の一例を示した図である。図５では、縦軸に液滴数Ｎ、横軸に液滴径ｄを示している。ここで、データベース１０５に記憶されている分布は、予め実験等により取得した通路１５における液滴径および液滴数の分布データをもとに作成される。
【００３７】
液滴径算出部１０４Ａは、流速分布および湿り度分布のデータであるデータファイル２０３、および温度、圧力のデータであるデータファイル２０４が入力されると、入力条件（温度、圧力、流速分布および湿り度分布）に対応する分布をデータベース１０５から選定する。液滴径算出部１０４Ａは、選定した分布に基づいて、液滴量Ｆｗを算出する。液滴量Ｆｗの算出は、液滴毎に体積Ｖｉに密度ρｉを乗算した値を、全ての液滴について加算することで求められる。具体的には、液滴径算出部１０４Ａは、下記（６）式を算出する。
【数６】
2010270716.tif 000008
（６）式において、ρは、液滴の密度である。ｄは、液滴径である。
液滴径算出部１０４Ａは、（６）式を用いて各メッシュにおける液滴径および液滴分布を算出してデータファイル２０５として出力する。最終的に、上記（６）式により求められる液滴量Ｆｗが、静翼面挙動算出部１０３から出力された湿り度の分布から求められる液滴量に一致するようにすることで、液滴の径と固有の分布が決定される。
【００３８】
以上のように、この第２の実施形態に係るタービン内液滴挙動評価装置２では、物理量（温度、圧力、流速、湿り度）に対する液滴径および個数の分布が記憶されているデータベース１０５を具備し、このデータベース１０５から入力条件に合致する分布を選定している。
【００３９】
このため、動翼面挙動算出部１０３において、離散相となる動翼入口境界における液滴の配置が連続相のメッシュに依存しないことから、連続相の１つの解析メッシュに径の異なる複数の液滴を配置することが可能となる。つまり、連続相の１つの解析メッシュに液滴径を分布として与えることができるので、実現象に対してより高精度な解析が可能となる。その他の効果は第１の実施形態と同じである。
【００４０】
（第３の実施形態）
図６は、第３の実施形態に係るタービン内液滴挙動評価装置３の機能構成を示した図である。図６に示すように、タービン内液滴挙動評価装置３は、湿り度算出部１０１、静翼面挙動算出部１０２、動翼面挙動算出部１０３Ａ、液滴径算出部１０４Ａ、データベース１０５、湿り度補正部１０６を具備する。以下、タービン内液滴挙動評価装置３の構成について説明するが、図３および図４で説明した構成要素については、同一の符号を付して重複した説明を省略する。
【００４１】
湿り度補正部１０６は、湿り度算出部１０１から出力されたデータファイル２０２の湿り度分布と、液滴径算出部１０４Ａから出力されたデータファイル２０５の湿り度分布とが一致、つまり湿り度算出部１０１および液滴径算出部１０４Ａで各々算出された局所的な液滴径と液滴個数の積分値が一致するように補正を行う。以下、補正方法について説明する。
【００４２】
（第１の補正方法）
第１の補正方法は、液滴径算出部１０４Ａで上記（１）式を用いて算出された水滴量Ｆｗ０が、湿り度算出部１０１で算出された動翼入口での湿り度に相当する水滴量Ｆｗｃと一致するように液滴径算出部１０４Ａで算出された湿り度分布を補正する。
【００４３】
図７は、第１の補正方法を説明するための図である。図７では、縦軸に液滴数Ｎ、横軸に液滴径ｄを示している。図７に示すように、この第１の補正方法では、湿り度算出部１０１で算出された動翼入口での水滴量Ｆｗｃに一致するように、各液滴径の液滴個数を比例倍して補正を行う。具体的には、湿り度補正部１０６は、下記（７）式を算出する。
【数７】
2010270716.tif 000009
（７）式において、ρは、液滴の密度である。ｄは、液滴径である。
第１の補正方法では、湿り度補正部１０６は、（７）式を用いて、液滴径算出部１０４から出力された湿り度分布を補正して動翼面挙動算出部１０３Ａへ出力する。
【００４４】
（第２の補正方法）
液滴径が小さい場合、段落効率の低下や動翼の侵食にはあまり影響しない。つまり、ある大きさの径を有する液滴が段落効率の低下や動翼の侵食に影響する。そこで、この第２の補正方法では、液滴径（液滴の大きさ）を考慮して、液滴径算出部１０４Ａから出力されたデータファイル２０５の湿り度分布を補正している。
【００４５】
図８は、第２の補正方法を説明するための図である。図８では、縦軸に液滴数Ｎ、横軸に液滴径ｄを示している。図８に示すように、この第２の補正方法では、段落効率の低下や動翼の侵食に影響する液滴の液滴径をα以上とし、液滴径α以上の液滴量Ｆｗ０が、湿り度算出部１０１で算出された動翼入口での湿り度に相当する水滴量Ｆｗｃのβ倍となるように補正する。ここで、βは、係数であり０＜β＜１を満たす小数である。
具体的には、湿り度補正部１０６は、下記（８）式を算出する。
【数８】
2010270716.tif 000010
（８）式において、ρは、液滴の密度である。ｄは、液滴径である。
第２の補正方法では、湿り度補正部１０６は、（８）式を用いて、液滴径算出部１０４Ａから出力された湿り度分布を補正して動翼面挙動算出部１０３Ａへ出力する。
【００４６】
以上のように、この第３の実施形態に係るタービン内液滴挙動評価装置３では、湿り度補正部１０６を具備し、湿り度算出部１０１で静翼内での水滴生成を考慮して、液滴径算出部１０４Ａから出力された湿り度分布を補正して動翼面挙動算出部１０３Ａに入力できる。このため、静翼内で生成した水滴量も考慮した動翼の解析評価ができるので、実現象に対して高精度な解析が可能となる。
【００４７】
特に、第２の補正方法では、空間的に生成された微小液滴と通路部や翼などの壁面への衝突などによって成長した粗大液滴の割合を設定した上で、湿り度算出部１０１で静翼内での水滴生成を考慮した湿り度分布で動翼面挙動算出部１０３Ａに入力する水滴量を補正することができる。このため、実現象に対してより高精度な解析が可能となる。その他の効果は、第２の実施形態と同じである。
【００４８】
（その他の実施形態）
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４９】
１〜３…タービン内液滴挙動評価装置、１０…低圧タービン、１１…ロータ、１２…動翼、１３…静翼、１４…ケーシング、１５…通路、１６…段落、１７…微小液滴、１８…粗大液滴、２０…コンピュータ本体、２１…ＣＰＵ、２２…ＲＯＭ、２３…ＲＡＭ、２４…ＨＤＤ、２５…ディスプレイ、２６…キーボード、１０１…湿り度算出部、１０２…静翼面挙動算出部、１０３…動翼面挙動算出部、１０４…液滴径算出部、１０５…データベース、１０６…湿り度補正部、２０１〜２０６…データファイル。
【図１】
2010270716.tif 000011
【図２】
2010270716.tif 000012
【図３】
2010270716.tif 000013
【図４】
2010270716.tif 000014
【図５】
2010270716.tif 000015
【図６】
2010270716.tif 000016
【図７】
2010270716.tif 000017
【図８】
2010270716.tif 000018